(57)【要約】      （修正有）【課題】どのような段階の遊技者でも楽しむことができ、小型化に適し且つバトンの持ち替えも表現し得るトワーリングバトンセット及びトワーリングバトン用回転補助具を提供する。【解決手段】トワーリングバトンと、トワーリングバトンのシャフトに取り付けられる回転補助具と、を備え、回転補助具は、シャフトに着脱可能に構成され、シャフトに装着した状態でシャフトを受容する溝部６３を有するシャフト掴み部６１と、指の背又は腹をシャフトに向けた状態で隣り合う２本の指の側面同士で挟持可能に構成されるとともにシャフト掴み部６１をシャフトの軸線に直交する軸９０を中心に回転可能に支持する持ち手部８０と、を有する。【選択図】図４
0003203070.tif 000002
【実用新案登録請求の範囲】
【請求項１】
トワーリングバトンと、
前記トワーリングバトンのシャフトに取り付けられる回転補助具と、を備え、
前記回転補助具は、
前記シャフトに着脱可能に構成され、
前記シャフトに装着した状態で当該シャフトを受容する溝部を有するシャフト掴み部と、
指の背又は腹を前記シャフトに向けた状態で隣り合う２本の指の側面同士で挟持可能に構成されるとともに前記シャフト掴み部を当該シャフトの軸線に直交する軸を中心に回転可能に支持する持ち手部と、
を有することを特徴とするトワーリングバトンセット。
【請求項２】
前記溝部の側壁は弾性を有し、この弾性によって、前記シャフトに装着した状態で前記溝部の内面は前記シャフトの外面に中心角１８０度を超えた範囲で当接するように構成されていることを特徴とする請求項１に記載のトワーリングバトンセット。
【請求項３】
前記シャフトには前記トワーリングバトンの重心位置に穴が形成され、前記溝部内面には、前記回転補助具の装着時に前記穴に嵌合する突起が形成されていることを特徴とする請求項１又は請求項２に記載のトワーリングバトンセット。
【請求項４】
前記シャフト掴み部は、
前記溝部が形成された掴み部本体と、
前記掴み部本体の前記溝部の一方の側壁に一端部がヒンジ結合され、他端部が前記溝部の他方の側壁に結合可能及び結合解除可能に構成され、結合状態で前記溝部の開口を閉塞して前記シャフトの受容状態を保持し、結合解除状態で前記溝部の開口を解放する蓋体と、
を有することを特徴とする請求項１から請求項３のいずれか一項に記載のトワーリングバトンセット。
【請求項５】
前記持ち手部は、隣り合う２本の指の側面同士で挟持可能な挟持部と、前記挟持部に連設され前記挟持部の前記シャフトに近い側の端に位置し前記挟持部の挟持方向両側に張り出す第１のフランジと、前記挟持部に連設され前記挟持部の前記シャフトから遠い側の端に位置し前記挟持部の挟持方向両側に張り出す第２のフランジとを有することを特徴とする請求項１から請求項４のいずれか一項に記載のトワーリングバトンセット。
【請求項６】
トワーリングバトンのシャフトに着脱可能に構成され、
前記シャフトに装着した状態で当該シャフトを受容する溝部を有するシャフト掴み部と、
指の背又は腹を前記シャフトに向けた状態で隣り合う２本の指の側面同士で挟持可能に構成されるとともに前記シャフト掴み部を当該シャフトの軸線に直交する軸を中心に回転可能に支持する持ち手部と、
を有することを特徴とするトワーリングバトン用回転補助具。
【考案の詳細な説明】
【技術分野】
【０００１】
本考案はトワーリングバトンセット及びトワーリングバトン用回転補助具に関するものである。
【背景技術】
【０００２】
従来、回転補助具を有するトワーリングバトンとして、例えば特許文献１に記載のものが知られている。このトワーリングバトンは、トワーリングバトンのシャフトの長手方向中心部に、長手方向と直角に回転軸を設け、これを軸受で保持してトワーリングバトンが自在に回転できるようにしたものである。このトワーリングバトンによれば、初心者であっても簡単にトワーリングバトンを回すことができる。
【先行技術文献】
【特許文献】
【０００３】
【特許文献１】実開平２−３２８７２号公報
【考案の概要】
【考案が解決しようとする課題】
【０００４】
しかしながら、上記特許文献１のトワーリングバトンにおいては、シャフトに回転補助具が固定されており、シャフトからは取り外せない構造となっている。そのため、トワーリングバトンを手だけで上手に回せない段階では有用ではあるものの、トワーリングバトンを手だけで回せる者にとっては、却って、回転補助具が邪魔になってしまう。
また、持ち手の部分は、手からはみ出す大きさとなっているため、見栄えの点でも問題であった。
さらに、トワーリングバトンの場合、持ち手部分の握り方が決まってしまうため、バトンの持ち替えを表現できるものではなかった。
【０００５】
本考案は、かかる問題点に鑑みなされたもので、どのような段階の遊技者でも楽しむことができ、小型化に適し且つバトンの持ち替えも表現し得るトワーリングバトンセットを及びトワーリングバトン用回転補助具を提供することを目的とする。
【課題を解決するための手段】
【０００６】
請求項１に記載のトワーリングバトンセットは、
トワーリングバトンと、
前記トワーリングバトンのシャフトに取り付けられる回転補助具と、を備え、
前記回転補助具は、
前記シャフトに着脱可能に構成され、
前記シャフトに装着した状態で当該シャフトを受容する溝部を有するシャフト掴み部と、
指の背又は腹を前記シャフトに向けた状態で隣り合う２本の指の側面同士で挟持可能に構成されるとともに前記シャフト掴み部を当該シャフトの軸線に直交する軸を中心に回転可能に支持する持ち手部と、
を有することを特徴とする。
【０００７】
請求項２に記載のトワーリングバトンセットは、請求項１に記載のトワーリングバトンセットであって、前記溝部の側壁は弾性を有し、この弾性によって、前記シャフトに装着した状態で前記溝部の内面は前記シャフトの外面に中心角１８０度を超えた範囲で当接するように構成されていることを特徴とする。
【０００８】
請求項３に記載のトワーリングバトンセットは、請求項１又は請求項２に記載のトワーリングバトンセットであって、前記シャフトには前記トワーリングバトンの重心位置に穴が形成され、前記溝部内面には、前記回転補助具の装着時に前記穴に嵌合する突起が形成されていることを特徴とする。
【０００９】
請求項４に記載のトワーリングバトンセットは、請求項１から請求項３のいずれか一項に記載のトワーリングバトンセットであって、前記シャフト掴み部は、前記溝部が形成された掴み部本体と、前記掴み部本体の前記溝部の一方の側壁に一端部がヒンジ結合され、他端部が前記溝部の他方の側壁に結合可能及び結合解除可能に構成され、結合状態で前記溝部の開口を閉塞して前記シャフトの受容状態を保持し、結合解除状態で前記溝部の開口を解放する蓋体と、を有することを特徴とする。
【００１０】
請求項５に記載のトワーリングバトンセットは、請求項１から請求項４のいずれか一項に記載のトワーリングバトンセットであって、前記持ち手部は、隣り合う２本の指の側面同士で挟持可能な挟持部と、前記挟持部に連設され前記挟持部の前記シャフトに近い側の端に位置し前記挟持部の挟持方向両側に張り出す第１のフランジと、前記挟持部に連設され前記挟持部の前記シャフトから遠い側の端に位置し前記挟持部の挟持方向両側に張り出す第２のフランジとを有することを特徴とする。
【００１１】
請求項６に記載のトワーリングバトン用回転補助具は、
トワーリングバトンのシャフトに着脱可能に構成され、
前記シャフトに装着した状態で当該シャフトを受容する溝部を有するシャフト掴み部と、
指の背又は腹を前記シャフトに向けた状態で隣り合う２本の指の側面同士で挟持可能に構成されるとともに前記シャフト掴み部を当該シャフトの軸線に直交する軸を中心に回転可能に支持する持ち手部と、
を有することを特徴とする。
【考案の効果】
【００１２】
請求項１に記載のトワーリングバトンセットによれば、回転補助具がシャフトに着脱可能となっているので、回転補助具を使ってトワーリングバトンを回すことができるとともに、回転補助具無しでもトワーリングバトンを使用することができる。
【００１３】
請求項２に記載のトワーリングバトンセットによれば、簡単に回転補助具をシャフトに装着することができる。
【００１４】
請求項３に記載のトワーリングバトンセットによれば、穴と突起とを嵌合させることにより、回転補助具の位置決めができるとともに、シャフトに対する回転補助具の回転及び移動を防止することができる。
【００１５】
請求項４に記載のトワーリングバトンセットによれば、蓋体があることによりシャフトの抜けを確実に防止することができる。
【００１６】
請求項５に記載のトワーリングバトンセットによれば、フランジによって安定的に持ち手部を持つことができる。
【００１７】
請求項６に記載の回転補助具によれば、回転補助具を使ってトワーリングバトンを回すことができるとともに、回転補助具無しでもトワーリングバトンを使用することができる。
【図面の簡単な説明】
【００１８】
【図１】本考案に係るトワーリングバトンセットの一実施形態を示した斜視図である。
【図２】本実施形態のトワーリングバトンの斜視図である。
【図３】本実施形態の回転補助具を示した斜視図である。
【図４】本実施形態の回転補助具の一部を分解して示した斜視図である。
【図５】本実施形態の回転補助具の一部を断面にして示した図である。
【図６】本実施形態のトワーリングバトンセットの使用形態を示した斜視図である。
【図７】本実施形態のトワーリングバトンセットの他の使用形態を示した斜視図である。
【考案を実施するための形態】
【００１９】
以下、本考案のトワーリングバトンセットを図面に示した実施形態に基づいて説明する。
【００２０】
《全体構成》
図１は、本考案に係るトワーリングバトンセットの一実施形態を示した斜視図である。
この実施形態のトワーリングバトンセット１００は、大別して、トワーリングバトン１０と、回転補助具５０とを備える。
【００２１】
図２に示すように、トワーリングバトン１０は、シャフト１１の一端にボール１２、他端にティップ１３を付設して構成されている。この場合のシャフト１１はプラスチックや金属等で形成されている。また、ボール１２及びティップ１３はプラスチックやゴム等で形成されている。
ここで、ボール１２はティップ１３よりも形状が大きく重量も大きくなっている。そのため、トワーリングバトン１０の重心位置はシャフト１１の長手方向の中心よりもボール１２側に寄っている。そして、この重心位置にはシャフト１１に穴１１ａが形成されている。
【００２２】
回転補助具５０は、シャフト１１に着脱可能に構成されている。図３に示すように、この回転補助具５０は、シャフト１１を掴むシャフト掴み部６０と、手で持つための持ち手部８０とを備えている。
【００２３】
図４に示すように、シャフト掴み部６０は、掴み部本体６１及び蓋体６２を備える。
掴み部本体６１は断面がΩ状に形成されている。すなわち、掴み部本体６１は、シャフト１１が嵌まる溝部６３を画成する半筒状部分６４と、半筒状部分６４の円周方向の各端部に連結されシャフト１１の導入側に向けて口を開くシャフト導入部６５ａ，６５ｂとを有している。このうちシャフト導入部６５ａはヒンジの一方を構成するナックル（軸筒）６６を構成している。また、溝部６３の内面には突起６７が形成されている。なお、シャフト１１に装着した状態で溝部６３の内面はシャフト１１の外面に中心角１８０度を超えた範囲で当接することが好ましい。
【００２４】
蓋体６２には切欠き６８が形成され、この切欠き６８には上記ナックル６６が収容されている。そして、ナックル６６を貫く軸６９（図４参照）の各端は蓋体６２の基端部の軸受け部の穴６７ａに挿入されている。また、蓋体６２の先端部には矩形状の開口７０が形成されている。そして、図５に示すように、この開口７０を画成する一方の壁には爪７１が形成され、この爪７１には蓋体６２をしめた際にシャフト導入部６５ｂが掴み部本体６１の弾性力で係合する。
【００２５】
図４に示すように、持ち手部８０は断面がＨ型鋼状に形成されている。つまり、持ち手部８０は、Ｈ型鋼のウェブに相当する部分が挟持部８１となっており、この挟持部８１の両端にはフランジ８２ａ，８２ｂが設けられている。この挟持部６１は遊技者の隣り合う２本の指（特に限定はされないが人差し指と中指）の側面で挟持可能となっている。また、フランジ８２ａ，８２ｂは小判型に形成されている。このフランジ８２ａ，８２ｂは遊技者の手の平の中に収まる程度の大きさ及び形状であることが好ましい。
また、挟持部８１の挟持面は指の側面に対応するように弧状に凹んでいる。このように挟持面を弧状とすれば、より指で挟持し易くなる。
【００２６】
図５に示すように、この持ち手部８０は軸９０を介して掴み部本体６１に連結されている。そして、この持ち手部８０は軸９０を中心に回転可能に掴み部本体６１を支持している。つまり、軸９０は持ち手部８０に回転可能に支持されたリベット８５の先端部に固定され、リベット８５とともに回転するように構成されている。この場合、ワンウェイクラッチを内部に設けて、持ち手部８０に対して掴み部本体６１を一方向にしか回転しないようにすることも可能であるが、トワーリングバトン１０の場合、双方向に回転するのが普通であるから、ワンウェイクラッチを設けないことが好ましい。
【００２７】
《使用例》
１．トワーリングバトン１０単独で使用する場合
トワーリングバトン１０単独で使用する場合には、シャフト１１から回転補助具５０を取り外す。この回転補助具５０の取外しは、蓋体６２を開けて、溝部６３とシャフト１１の嵌合を解除させることにより行う。図２には回転補助具５０を取り外した状態が示されている。
これにより、トワーリングバトン１０から回転補助具５０を取り外して、トワーリングバトン１０を単独で使用することができる。
【００２８】
２．回転補助具５０付きで使用する場合
回転補助具５０付きで使用する場合には、シャフト１１から回転補助具５０を取り付ける。この回転補助具５０の取付けは、蓋体６２を開けて、突起６７と穴１１ａとを合致させるようにして溝部６３とシャフト１１とを嵌合させ、その後に蓋体６２を閉めることにより行う。図１には回転補助具５０を取り付けた状態が示されている。
使用するにあたっては、図６で示すように、指の腹をシャフト１１側に向けた状態で例えば人差し指と中指の側面同士で挟持部８１を挟持するか、図７に示すように、指の背をシャフト１１側に向けた状態で例えば人差し指と中指の側面同士で挟持部８１を挟持する。後者の場合、図７に示すように、フランジ８２ｂを軽く握るようにしてもよい。このようにすれば、回転補助具５０をより安定して持つことが可能となる。
【００２９】
《本考案の変形例》
以上、本考案の実施形態について説明したが、本考案は、かかる実施形態に限定されるものではなく、その要旨を逸脱しない範囲で、種々変形が可能であることは言うまでもない。
【００３０】
例えば、上記実施形態では、突起６７と穴１１ａとを嵌合させることにより、回転補助具５０を重心位置に装着するようにしているが、突起６７及び穴１１ａを設けずに、トワーリングバトン１０のシャフト１１の重心位置にマークを付けておき、そのマークを目印として回転補助具５０を装着するようにしてもよい。
また、上記実施形態では、突起６７と穴１１ａとを嵌合させることにより、シャフト１１に対する回転補助具５０の回転や軸方向移動を防止するようにしているが、突起６７及び穴１１ａを設けずに、回転補助具５０の溝部６３の内面にゴムその他の滑り止めを設けてシャフト１１に対する回転補助具５０の回転や軸方向移動を防止するようにしてもよい。
【００３１】
また、上記実施形態では、シャフト掴み部６０を掴み部本体６１及び蓋体６２で構成したが、掴み部本体６１の弾性だけでシャフト１１をしっかりと掴めるならば蓋体６２は不要である。また、蓋体６２に代えてバンドを用いることもできる。
【符号の説明】
【００３２】
１０   トワーリングバトン
１１   シャフト
１１ａ 穴
１２   ボール
１３   ティップ
５０   回転補助具
６０   掴み部
６１   掴み部本体
６２   蓋体
６３   溝部
６７   突起
８０   持ち手部
８１   挟持部
８２ａ，８２ｂ       フランジ
１００ トワーリングバトンセット
【図１】
0003203070.tif 000003
【図２】
0003203070.tif 000004
【図３】
0003203070.tif 000005
【図４】
0003203070.tif 000006
【図５】
0003203070.tif 000007
【図６】
0003203070.tif 000008
【図７】
0003203070.tif 000009